(57)【要約】【課題】遊技機における遊技盤の額縁部からの投射光の漏洩を確実に防止する。【解決手段】画像表示用の投射光Ｌの投射によって遊技用画像が表示される遊技部２１ａとその表面が装飾用パネル２１ｃによって覆われた額縁部２１ｂとを備えた遊技盤２１、および遊技盤２１の背面に投射光Ｌを射出するプロジェクタユニット３１を備えているパチンコ台１であって、遊技部２１ａに対する投射光Ｌの投射を許容すると共に額縁部２１ｂに対する投射光Ｌの投射を規制する遮蔽板５１を備えている。【選択図】　　　　図３
2004057498.tif 000002
【特許請求の範囲】
【請求項１】
画像表示用の投射光の投射によって遊技用画像が表示される遊技部とその表面が額縁部材によって覆われた額縁部とを備えた遊技盤、および当該遊技盤の背面に前記投射光を射出する投射機構を備えている遊技機であって、
前記遊技部に対する前記投射光の投射を許容すると共に前記額縁部に対する当該投射光の投射を規制する投射規制手段を備えている遊技機。
【請求項２】
前記投射規制手段は、前記投射機構の光源から前記遊技盤の背面に至る前記投射光の光路中に配置されて当該投射光の一部を遮蔽することによって前記額縁部に対する当該投射光の投射を規制する遮蔽板を備えて構成されている請求項１記載の遊技機。
【請求項３】
前記遮蔽板は、前記遊技盤の背面に取り付けられている請求項２記載の遊技機。
【請求項４】
前記投射機構は、前記光源によって射出された前記投射光を前記画像表示用の投射光に変調する変調手段を備え、
前記遮蔽板は、前記変調手段に取り付けられている請求項２記載の遊技機。
【請求項５】
前記投射規制手段は、前記投射機構によって射出された前記投射光を前記遊技部のみに反射する反射板を備えて構成されている請求項１記載の遊技機。
【請求項６】
前記投射規制手段は、前記遊技部の所定部位に対する前記投射光の投射を規制する請求項１から５のいずれかに記載の遊技機。
【発明の詳細な説明】
【０００１】
【発明の属する技術分野】
本発明は、遊技盤と投射機構とを備え、遊技盤の背面に画像を投射表示可能に構成された遊技機に関するものである。
【０００２】
【従来の技術】
この種のパチンコ台（遊技機）として、実開平７−２４３８１号公報には、リアプロジェクションタイプの投影機（４）を用いてフロントパネル（１）の透光性光画像表示部（２）に遊技用画像を投影（投射）可能なパチンコ（パチンコ台）が開示されている。この場合、投影機は、液晶表示素子および光源などを備えて構成され、投影機とフロントパネルとの間には、投影レンズ（５）が配設されている。このパチンコ台では、まず、投影機が、光源から射出された光を液晶表示素子を通過させることによって光画像（投射光）に変調して射出する。次に、投影レンズが、投影機によって射出された投射光を拡大してフロントパネルの透光性光画像表示部に投射する。これにより、透光性光画像表示部に遊技用画像が表示される。この場合、投影レンズを操作することにより、フロントパネルにおける透光性光画像表示部（つまり画像を表示するエリア）の位置や面積を自由に変更することができる。したがって、フロントパネルにおける遊技部（釘や大入賞口などが配設され、パチンコ球が移動するエリア）の全体に亘って遊技用画像などを表示させることが可能になっている。
【０００３】
【発明が解決しようとする課題】
ところが、この従来のパチンコ台には、以下の課題がある。すなわち、このパチンコ台では、投影機によって射出された投射光をフロントパネルの透光性光画像表示部に投射させることによって遊技用画像を表示している。この場合、投影機は、前述したように光源から射出された光を液晶表示素子を通過させることによって投射光に変調している。このため、投射光は、液晶表示素子の画面形状（例えば縦横比が横４：縦３の横長の長方形）を拡大した形状の画像を透光性光画像表示部に投射する。この場合、遊技部が一般的には円形や楕円形に構成されているため、液晶表示素子の画面形状を拡大した形状と遊技部の形状とが異なり、遊技部全体に亘って遊技用画像を表示させる際には、遊技部の周囲の額縁部にまで投射光が投射されることとなる。一方、額縁部の表面には、ランプなどの装飾用部品が配設された装飾用パネルが取り付けられている。この場合、装飾用パネルには、装飾用部品をはめ込むための取付孔や装飾用部品の固定用ねじのねじ孔などが形成されている。したがって、装飾用部品と取付孔との隙間や固定用ねじとねじ孔との隙間などから額縁部に投射された投射光がパチンコ台の正面側に向かって漏洩して遊技者に違和感を与えることとなり、この点を改善するのが好ましい。
【０００４】
本発明は、かかる課題に鑑みてなされたものであり、額縁部からの投射光の漏洩を確実に防止し得る遊技機を提供することを主目的とする。
【０００５】
【課題を解決するための手段】
上記目的を達成すべく本発明に係る遊技機は、画像表示用の投射光の投射によって遊技用画像が表示される遊技部とその表面が額縁部材によって覆われた額縁部とを備えた遊技盤、および当該遊技盤の背面に前記投射光を射出する投射機構を備えている遊技機であって、前記遊技部に対する前記投射光の投射を許容すると共に前記額縁部に対する当該投射光の投射を規制する投射規制手段を備えている。
【０００６】
また、本発明に係る遊技機は、上記の遊技機において、前記投射規制手段は、前記投射機構の光源から前記遊技盤の背面に至る前記投射光の光路中に配置されて当該投射光の一部を遮蔽することによって前記額縁部に対する当該投射光の投射を規制する遮蔽板を備えて構成されている。
【０００７】
また、本発明に係る遊技機は、上記の遊技機において、前記遮蔽板は、前記遊技盤の背面に取り付けられている。
【０００８】
また、本発明に係る遊技機は、上記の遊技機において、前記投射機構は、前記光源によって射出された前記投射光を前記画像表示用の投射光に変調する変調手段を備え、前記遮蔽板は、前記変調手段に取り付けられている。
【０００９】
また、本発明に係る遊技機は、上記の遊技機において、前記投射規制手段は、前記投射機構によって射出された前記投射光を前記遊技部のみに反射する反射板を備えて構成されている。
【００１０】
また、本発明に係る遊技機は、上記の遊技機において、前記投射規制手段は、前記遊技部の所定部位に対する前記投射光の投射を規制する。
【００１１】
【発明の実施の形態】
以下、添付図面を参照して、本発明に係る遊技機の好適な実施の形態について説明する。
【００１２】
最初に、パチンコ台１の構成について、図面を参照して説明する。
【００１３】
パチンコ台（遊技機）１は、一例として、抽選によって「大当たり」が生じる「セブン機」タイプのパチンコ台であって、背面から投射光Ｌ（図３参照）を投射することによって遊技用画像Ｇｙ（例えば、図１に示す大地、富士山および、数字の「１２３」）を遊技盤２１の遊技部２１ａ（同図に示す円の内側）に表示可能に構成されている。具体的には、このパチンコ台１は、図２に示すように、遊技機構２、主制御部３、主記憶部４および表示装置５を備えて構成されている。
【００１４】
遊技機構２は、図３に示すように、遊技盤２１と開閉機構２７とを備えて構成されている。遊技盤２１は、全体として光透過性樹脂（一例としてポリカーボネイト）によって形成され、図１に示すように、円形の遊技部２１ａが中央部に形成されると共にその周囲に額縁部２１ｂが形成されて構成されている。この場合、遊技部２１ａの表面側には、複数の釘２２，２２・・（図３参照）が固定されると共に、スタートチャッカー２３、大入賞口（アタッカー）２４、入賞口２５，２５、および風車２６，２６などが配設されている。また、額縁部２１ｂの表面には、装飾用のランプ（図示せず）などが配設された装飾用パネル２１ｃが取り付けられている。この場合、装飾用パネル２１ｃが本発明における額縁部材に相当し、例えば半透明の樹脂によって形成されている。一方、図３に示すように、遊技盤２１の裏面（背面）には、後述するスクリーンフィルム３２が貼付され、さらにその裏面には、遮蔽板５１がスクリーンフィルム３２に面的に密着するように取り付けられている。
【００１５】
遮蔽板５１は、本発明における投射規制手段に相当し、全体として遮光性材料（一例としてベニヤ板）によって形成され、図４に示すように、遮蔽部５２と遮蔽部５３とが一体形成されて構成されている。この場合、遮蔽部５２は、額縁部２１ｂと等しい形状に形成され、遮蔽部５３は、本発明における所定部位に相当する大入賞口取付部２１ｄ（図１に点線で示す大入賞口２４が取り付けられている部位）と等しい形状に形成されている。また、遮蔽板５１は、遮蔽部５２と額縁部２１ｂとが対向すると共に遮蔽部５３と遊技部２１ａの大入賞口取付部２１ｄとが対向するようにスクリーンフィルム３２に取り付けられている。したがって、スクリーンフィルム３２における額縁部２１ｂの裏面に対向する部位では、遮蔽部５２によって投射光Ｌの投射が規制される。また、スクリーンフィルム３２における大入賞口取付部２１ｄの裏面に対向する部位では、遮蔽部５３によって投射光Ｌの投射が規制される。この場合、遮蔽板５１は、ベニヤ板によって形成されているため、額縁部２１ｂや大入賞口取付部２１ｄの形状に合わせて容易に、しかも簡易かつ安価に作製される。なお、図３に示すように、遊技盤２１の正面には、透明なガラス２８ａがはめ込まれた扉２８が配設されている。開閉機構２７は、スクリーンフィルム３２および遮蔽板５１の遮蔽部５３を介して遊技部２１ａの裏面側に取り付けられて、主制御部３の指示に従って大入賞口２４を開閉させる。
【００１６】
主制御部３は、パチンコ台１を統括的に制御すると共に、例えば、抽選の開始、リーチの発生および大当たりの発生などの遊技状態の変化時点で遊技用画像Ｇｙを表示させるためのコマンドＣ１を表示装置５に出力することによって各種画像を表示させる。主記憶部４は、主制御部３の動作プログラムなどを記憶する。
【００１７】
表示装置５は、図２に示すように、画像表示光学部１１、表示制御部１２、ＲＡＭ１３、表示手順データ記憶部１４、ＶＲＡＭ１５および図柄データ記憶部１６を備えて構成されている。画像表示光学部１１は、図３に示すように、プロジェクタユニット３１、スクリーンフィルム３２、ミラー３３およびフレネルレンズ３４を備えている。プロジェクタユニット３１は、本発明における投射機構に相当し、表示制御部１２によって出力された表示用画像データＤｇに基づいて遊技用画像Ｇｙを表示するための投射光Ｌを射出する。具体的には、プロジェクタユニット３１は、例えば、光源ランプと、光源ランプによって射出された投射光Ｌ（白色光）を遊技用画像Ｇｙに応じた陰影や着色が施された投射光Ｌに変調するための変調手段（一例として、液晶パネル、入射側偏光板および射出側偏光板を備えた液晶ライトバルブ）と、投射光Ｌを拡大する投射レンズ（いずれも図示せず）とを備えて構成されている。また、プロジェクタユニット３１は、パチンコ台１の内部における底面寄りの位置に配設され、投射光Ｌを例えば上向きに射出する。
【００１８】
スクリーンフィルム３２は、前述したように、遊技盤２１の裏面に貼付されている。このスクリーンフィルム３２は、一例として、プロジェクタユニット３１によって射出された投射光Ｌを受光して拡散させることにより、遊技用画像Ｇｙを結像する。ミラー３３は、遊技盤２１の裏面側に配設され、プロジェクタユニット３１によって射出された投射光Ｌをスクリーンフィルム３２（つまり遊技盤２１の裏面）に向けて反射する。フレネルレンズ３４は、ミラー３３およびスクリーンフィルム３２の間に配設されている。このフレネルレンズ３４は、プロジェクタユニット３１によって射出された投射光Ｌを平行光（広義の意味の平行光）に変換してスクリーンフィルム３２に投射させる。
【００１９】
表示制御部１２は、画像表示専用の制御部であって、主制御部３によって出力されたコマンドＣ１に従って各種画像表示処理を実行することにより、表示用画像データＤｇをプロジェクタユニット３１に出力して、遊技用画像Ｇｙを表示するための投射光Ｌをプロジェクタユニット３１に射出させる。ＲＡＭ１３は、表示制御部１２によって生成された各種データを一時的に記憶する。表示手順データ記憶部１４は、表示用画像データＤｇの生成時に使用する画像データの指定、画像を表示させる表示画面上の位置および表示時間の指定などが記述された表示手順データＤｓや、表示制御部１２の動作プログラムを記憶する。ＶＲＡＭ１５は、表示制御部１２によって画像が仮想的に描画されることによって生成される表示用画像データＤｇを記憶する。図柄データ記憶部１６は、表示用画像データＤｇを生成するための各種図柄データＤｐ（富士山、大地、および数字などのデータ）を記憶する。
【００２０】
次に、パチンコ台１の全体的な動作について、図面を参照して説明する。
【００２１】
このパチンコ台１では、電源が投入された際に、まず、主制御部３が、例えば、図１に示す遊技用画像Ｇｙを表示させるためのコマンドＣ１を出力し、これに応じて、表示制御部１２が、画像表示処理を実行する。この画像表示処理では、まず、表示制御部１２が、コマンドＣ１によって指定されている表示手順データＤｓを表示手順データ記憶部１４から読み込む。次に、表示制御部１２は、その表示手順に従って遊技用画像Ｇｙを表示するための表示用画像データＤｇの生成に必要な図柄データＤｐ，Ｄｐ・・を図柄データ記憶部１６から読み込む。次いで、表示制御部１２は、読み込んだ図柄データＤｐ，Ｄｐ・・にそれぞれ対応する図柄をＶＲＡＭ１５の仮想平面上に仮想的に描画する（図柄データＤｐを記憶させる）ことによって表示用画像データＤｇを生成する。続いて、表示制御部１２は、ＶＲＡＭ１５内の表示用画像データＤｇをプロジェクタユニット３１に出力し、以下、新たなコマンドＣ１が入力されるまでこの画像表示処理を繰り返し実行する。
【００２２】
一方、プロジェクタユニット３１は、光源ランプによって射出された投射光Ｌ（白色光）を遊技用画像Ｇｙに応じた陰影や着色が施された投射光Ｌに変調して射出する。次いで、射出された投射光Ｌは、ミラー３３によって反射されて、フレネルレンズ３４を通過することによって平行光に変換される。この際に、スクリーンフィルム３２における遊技部２１ａの裏面に対向する部位に投射光Ｌが投射されて遊技用画像Ｇｙが結像される。これにより、遊技盤２１に遊技用画像Ｇｙが表示される。一方、遮蔽板５１の遮蔽部５２によって投射光Ｌが遮蔽されるため、スクリーンフィルム３２における額縁部２１ｂの裏面に対向する部位に対する投射光Ｌの投射が回避される。したがって、額縁部２１ｂからの投射光Ｌの漏洩が確実に阻止される。また、遮蔽板５１の遮蔽部５３によっても投射光Ｌが遮蔽されるため、スクリーンフィルム３２における大入賞口取付部２１ｄの裏面に対向する部位に対する投射光Ｌの投射が回避される。したがって、大入賞口２４自体および大入賞口取付部２１ｄからの投射光Ｌの漏洩が確実に阻止される。
【００２３】
このように、このパチンコ台１によれば、遊技盤２１の遊技部２１ａに対する投射光Ｌの投射を許容すると共に遊技盤２１の額縁部２１ｂに対する投射光Ｌの投射を規制する遮蔽板５１を備えたことにより、遊技盤２１の遊技部２１ａに遊技用画像Ｇｙを表示しつつ、額縁部２１ｂからの投射光Ｌの漏洩を確実に防止することができる。また、ベニヤ板等で作製された遮蔽板５１で投射規制手段を構成したことにより、投射規制手段を簡易かつ安価に構成することができる。
【００２４】
さらに、遊技盤２１の裏面に貼付されたスクリーンフィルム３２に面的に密着するように遮蔽板５１を取り付けたことにより、遊技盤２１、スクリーンフィルム３２および遮蔽板５１の各々の間に隙間を生じさせない結果、遮蔽板５１の縁部における投射光Ｌの回折の発生を回避することができ、これにより、額縁部２１ｂからの投射光Ｌの漏洩をより確実に防止することができる。また、遮蔽板５１の遮蔽部５３が遊技部２１ａの大入賞口取付部２１ｄに対する投射光Ｌの投射を規制することにより、大入賞口取付部２１ｄに対する投射光Ｌの投射を回避できるため、大入賞口２４自体および大入賞口取付部２１ｄからの投射光Ｌの漏洩を確実に防止することができる。
【００２５】
なお、本発明は、上記した本発明の実施の形態に限定されない。例えば、遮蔽板５１の配置位置としては、スクリーンフィルム３２の裏面に限定されず、プロジェクタユニット３１の光源ランプから遊技盤２１の裏面に至る投射光Ｌの光路中における任意の位置に配置することができる。一例として、プロジェクタユニット３１における変調手段の射出側偏光板に図５に示す遮蔽板６１を取り付ける構成を採用することができる。この場合、遮蔽板６１は、例えば、遮光性の遮蔽部６２と、大入賞口取付部２１ｄと相似形であって遮光性の遮蔽部６３とを一体形成して構成されている。具体的には、遮蔽板６１は、同図に示すように、その外形が射出側偏光板の射出面とほぼ等しく形成された遮光性樹脂フィルムを使用して、遊技部２１ａにおける大入賞口取付部２１ｄを除く部分に相当する部位（同図において白抜き部分）をその遮光性樹脂フィルムから切り取って形成されている。なお、遮蔽板６１の材料は、遮光性樹脂フィルムに限らず、ベニヤ板、紙およびゴムなどの各種遮光性材料を採用することができる。また、遮蔽板６１として光透過性フィルムや光透過性を有するガラス板などの光透過性材料を用いた場合、同図において黒色部分を遮光性を有する暗色に着色して構成することもできる。
【００２６】
この構成を採用したパチンコ台では、変調手段に取り付けられた遮蔽板６１の遮蔽部６２によって額縁部２１ｂに対応する投射光Ｌが遮蔽される。また、遮蔽板６１の遮蔽部６３によって大入賞口取付部２１ｄに対応する投射光Ｌが遮蔽される。このように、このパチンコ台によれば、遮蔽板６１をプロジェクタユニット３１の変調手段に取り付けたことにより、額縁部２１ｂに対応する投射光Ｌ、および大入賞口取付部２１ｄに対応する投射光Ｌを遮蔽することができるため、額縁部２１ｂおよび大入賞口取付部２１ｄに対する投射光Ｌの投射を回避できる。したがって、パチンコ台１と同様にして、額縁部２１ｂ、大入賞口２４自体および大入賞口取付部２１ｄからの投射光Ｌの漏洩を確実に防止することができる。また、遮蔽板６１を変調手段と同じ大きさに構成することができる。したがって、遊技盤２１に比べて変調手段が小さい分だけ、遮蔽板６１を小型化することができる。
【００２７】
また、本発明における投射規制手段としての遮蔽板５１に代えて、図６に示すミラー（反射板）７１を採用することもできる。このミラー７１は、パチンコ台１におけるミラー３３に代えて配設され、同図に示すように、遊技盤２１の遊技部２１ａに対応する投射光Ｌをスクリーンフィルム３２に反射する反射部７２と、額縁部２１ｂおよび大入賞口取付部２１ｄに対応する投射光Ｌを拡散する（つまり正反射しない）非反射部７３とを備えて構成されている。この場合、非反射部７３は、一例として、暗色（例えば黒色）の光吸収性材料によって形成されたフィルムが貼付されて構成されている。なお、このフィルムに代えて、暗色の塗料を塗布することによって非反射部７３を構成することもできる。また、非反射部７３に相当する部位をカットしたミラー（つまり反射部７２のみによって構成されたミラー）を採用することもできる。
【００２８】
この構成を採用したパチンコ台では、プロジェクタユニット３１によって投射光Ｌが射出された際に、ミラー７１の反射部７２が、スクリーンフィルム３２における遊技部２１ａに対向する部位に向けて投射光Ｌを反射する。一方、非反射部７３は、投射光Ｌを拡散する。したがって、額縁部２１ｂおよび大入賞口取付部２１ｄに対する投射光Ｌの投射が規制される。このように、このパチンコ台によれば、投射光Ｌを遊技部２１ａに反射する反射部７２と、投射光Ｌを拡散する非反射部７３とを有するミラー７１を備えたことにより、額縁部２１ｂおよび大入賞口取付部２１ｄに対する投射光Ｌの投射を回避できるため、パチンコ台１と同様にして、額縁部２１ｂ、大入賞口２４自体および大入賞口取付部２１ｄからの投射光Ｌの漏洩を確実に防止することができる。また、既存のミラー３３に例えば暗色のフィルムを貼付するだけでミラー７１を構成することができるため、投射規制手段を安価に構成することができる。
【００２９】
さらに、遮蔽板５１の材質としては、ベニヤ板に限定されず、他の木製材料、光非透過性の樹脂、紙およびゴムなどを採用することができる。この場合、遮蔽板５１の厚さは、遮蔽板５１を形成する材質に応じて任意に変更することができる。したがって、例えば、フィルムやシートを遮蔽板５１として採用することもできる。また、遮蔽板５１の形状は、上記した形状に限定されず、遊技部２１ａにおける釘２２、入賞口２５および風車２６などの各種遊技用部品を固定する部位（所定部位）に対応する投射光Ｌを遮蔽可能な形状に構成することもできる。
【００３０】
【発明の効果】
以上のように、本発明に係る遊技機によれば、遊技盤の遊技部に対する投射光の投射を許容すると共に額縁部に対する投射光の投射を規制する投射規制手段を備えたことにより、遊技盤の遊技部に遊技用画像を表示しつつ、額縁部からの投射光の漏洩を確実に防止することができる。また、ベニヤ板等で容易に作製可能な遮蔽板を備えて投射規制手段を構成したことにより、投射規制手段を簡易かつ安価に構成することができる。さらに、遮蔽板を遊技盤の背面に取り付けたことにより、遊技盤および遮蔽板の間に隙間を生じさせない結果、遮蔽板の縁部における投射光の回折の発生を回避することができ、これにより、額縁部からの投射光の漏洩をより確実に防止することができる。また、投射機構の変調手段に遮蔽板を取り付けたことにより、遮蔽板を変調手段と同じ大きさに構成することができる。したがって、遊技盤に比べて変調手段が小さい分だけ、遮蔽板を小型化することができる。さらに、投射光を遊技部のみに反射する反射板を備えて投射規制手段を構成したことにより、既存の反射板に例えば暗色のフィルムを貼付するだけで投射規制手段を構成することができるため、投射規制手段を安価に構成することができる。また、投射規制手段が、遊技部における所定部位に対する投射光の投射を規制することにより、遊技部に配設された例えば大入賞口自体およびその取付部位からの投射光の漏洩を確実に防止することができる。
【図面の簡単な説明】
【図１】本発明の実施の形態に係るパチンコ台１の概略構成を示す正面図である。
【図２】パチンコ台１の構成を示すブロック図である。
【図３】パチンコ台１の概略構成を示す側面断面図である。
【図４】本発明の実施の形態に係る遮蔽板５１の正面図である。
【図５】他の実施の形態に係る遮蔽板６１の正面図である。
【図６】他の実施の形態に係るミラー７１の正面図である。
【符号の説明】
１　パチンコ台
２１　遊技盤
２１ａ　遊技部
２１ｂ　額縁部
２１ｃ　装飾用パネル
３１　プロジェクタユニット
３３　ミラー
５１，６１　遮蔽板
５２，５３，６２，６３　遮蔽部
７１　ミラー
７２　反射部
７３　非反射部
Ｇｙ　遊技用画像
Ｌ　投射光
【図１】
2004057498.tif 000003
【図２】
2004057498.tif 000004
【図３】
2004057498.tif 000005
【図４】
2004057498.tif 000006
【図５】
2004057498.tif 000007
【図６】
2004057498.tif 000008